(57)【要約】      （修正有）【課題】日差しを遮るための幕体と、前記幕体を展張支持するフレーム部材とからなる、建物等に立て掛けて使用する日除け具において、外観上は通常の日除け具のまま、複雑な構造をとらず、支柱を重しで固定したり、ロープで結束する等の手間をかけない、容易に安定設置が可能となる日除け具を提供する。【解決手段】収納物８の重量で日除け具を安定させるために、前記収納物８を日除け具に収納できるよう、幕体２に収納ポケット５を備えていることを特徴とする。幕体には、縦支柱３及び横支柱４が挿通される筒状の挿通部が設けられる。本実施の形態においては、上下の横支柱４が挿通される幕体の上辺と下辺とに左右方向に向かって、左右の縦支柱３が挿通される幕体の左辺と右辺とに上下方向に向かって、そして中間３本の縦支柱３が挿通される幕体の左右方向のおよそ中央、さらにその中央と左右辺とのおよそ中間のそれぞれの位置に上下方向に向かった挿通部となる。【選択図】図４
0003190806.tif 000002
【実用新案登録請求の範囲】
【請求項１】
日差しを遮るための幕体と、前記幕体を展張支持するフレーム部材とからなる、建物等に立て掛けて使用する日除け具であって、前記幕体に収納ポケットを備えていることを特徴とする日除け具
【請求項２】
請求項１記載の日除け具であって、前記フレーム部材は、幕体左右方向に対して所定間隔に平行配置される複数の縦支柱と、前記縦支柱の長手方向と垂直に、幕体上下方向に対して所定間隔に平行配置される複数の横支柱とからなることを特徴とする日除け具
【請求項３】
請求項１乃至２いずれか記載の日除け具であって、前記収納ポケットは前記幕体の下部に備えられていることを特徴とする日除け具
【請求項４】
請求項１乃至３いずれか記載の日除け具であって、前記収納ポケットは前記幕体の裏側に備えられていることを特徴とする日除け具
【請求項５】
請求項１乃至４いずれか記載の日除け具であって、前記幕体は表面生地と裏面生地とからなり、前記裏面生地の全部又は一部が通風性のあるメッシュ生地であって、前記表面生地の全部又は一部が取り外し可能、又は開閉可能であることを特徴とする日除け具
【考案の詳細な説明】
【技術分野】
【０００１】
本考案は、建物等に立て掛けて使用する日除け具に関する。
【背景技術】
【０００２】
建物の外窓からの日差しを遮るために、外壁に庇を設置したり、窓枠にブラインドを設置したりする方法がある。一方、近年では、簡易で、設置や移動が自在である、立て掛けるだけの洋風たてすが日除け具として利用されている。
また、日本の伝統的な葦簀、簾の風合いを残した洋風たてす風の日除け具も公開されている。
【先行技術文献】
【特許文献】
【０００３】
【特許文献１】特開２００１−３１１２８４号公報
【考案の概要】
【考案が解決しようとする課題】
【０００４】
一般的な洋風たてすは、複数の縦支柱に平面の幕体を展張した構造となっており、横支柱を備えていないものも多く、設置が容易な反面、安定性に欠け、風に飛ばされやすい等の欠点があった。
そのため、倒れ防止の対策として、縦支柱の下部を一定間隔に連結して安定させたり、縦支柱の下部に重しを取付けたり、幕体にハトメを設けて、ハトメに通したロープ等で柱等に結束する等の手段が用いられてきた。
しかし、これらの方法では、容易に設置が可能であり、移動も自在であるという利点がそがれることとなる。
【０００５】
そこで、本考案は、設置が容易で、移動が自在であるという利点を活かしつつ、風に強く、安定設置可能な日除け具を提供することを目的とする。
【課題を解決するための手段】
【０００６】
請求項１記載の日除け具は、日差しを遮るための幕体と、前記幕体を展張支持するフレーム部材とからなる、建物等に立て掛けて使用する日除け具であって、
前記幕体に収納ポケットを備えていることを特徴とする。
【０００７】
前記収納ポケットに軽重量物を収納することによって、その重さによって日除け具を安定させることができる。そして、支柱を地面に固定したり、幕体を柱等に固定するものではないため、収納物を取り出すだけで、設置、取り外し、移動は容易となる。
【０００８】
請求項２記載の日除け具は、請求項１記載の日除け具であって、前記フレーム部材は、幕体左右方向に対して所定間隔に平行配置される複数の縦支柱と、前記縦支柱の長手方向と垂直に、幕体上下方向に対して所定間隔に平行配置される複数の横支柱とからなることを特徴とする。
【０００９】
前記横支柱を複数設けることにより、幕体が安定して平面に展張されることにより、幕体を支持するそれぞれの縦支柱の位置が保たれ、前記収納ポケットの効果と相俟って、より日除け具を安定させることができる。
【００１０】
請求項３記載の日除け具は、請求項１乃至２いずれか記載の日除け具であって、前記収納ポケットは前記幕体の下部に備えられていることを特徴とする。
【００１１】
前記収納ポケットが幕体下部に備えられることにより、日除け具の重心が下方にくることとなり、より日除け具を安定させることができる。
【００１２】
請求項４記載の日除け具は、請求項１乃至３いずれか記載の日除け具であって、前記収納ポケットは前記幕体の裏側に備えられていることを特徴とする。
【００１３】
前記収納ポケットが幕体裏側に備えられることにより、表側から収納物が見えず、美観を損ねることがなくなる。
【００１４】
請求項５記載の日除け具は、請求項１乃至４いずれか記載の日除け具であって、前記幕体は表面生地と裏面生地とからなり、前記裏面生地の全部又は一部が通風性のあるメッシュ生地であって、前記表面生地の全部又は一部が取り外し可能、又は開閉可能であることを特徴とする。
【００１５】
前記幕体を、通風性の低い、又は通風性のない織目が密な表面生地と、通風性のあるメッシュ生地とした裏面生地との二層構造とすることによって、表面生地が表となる通常の状態、そして、表面生地を取り外す、巻き上げる等の手段により、メッシュ生地を表に露出させる状態の二通りの使用をすることができる。
より日差しの強い状況、室内が覗かれたくない状況等においては通常の状態で使用し、窓を開けて室内に風を取り入れたい状況等においては、メッシュ生地を表に露出させる状態で使用するというように、一の日除け具であっても、異なる複数の日除け具を使用するのと同等の効果を得ることができる。
また、メッシュ生地を表に露出させることによって、幕体にあたる風を通過させることにより、風の抵抗が弱まり、より日除け具を安定させることができる。
【考案の効果】
【００１６】
本考案によれば、外観上は通常の日除け具のまま、複雑な構造をとることなく、日除け具を安定設置することが可能となる。そして、支柱を重しで固定したり、ロープで結束する等の手間をかけることなく、容易に日除け具を安定させることができる等の優れた効果を得ることができる。
【図面の簡単な説明】
【００１７】
【図１】本考案の実施の形態において、日除け具を建物外壁に立て掛けた状態の図である。
【図２】本考案の実施の形態において、日除け具を表側から見た図である。
【図３】本考案の実施の形態において、日除け具を裏側から見た図である。
【図４】本考案の実施の形態において、収納ポケット部分の拡大図である。
【図５】本考案の実施の形態において、表面生地を巻き上げ、裏面生地を表に露出した状態の図である。
【考案を実施するための形態】
【００１８】
以下、図面を参照しつつ、本考案の実施の形態について説明する。
【００１９】
本実施の形態については、図１乃至図３に示すような、略長方形状の平面である幕体２を有し、フレーム部材となる棒状の縦支柱３と横支柱４とで前記幕体２を展張支持する日除け具について説明する。
なお、本考案の実施の形態としては、縦支柱３を５本、横支柱４を２本としているが、特に限定されるものでなく、縦支柱３及び横支柱４のそれぞれが複数本であって、幕体２を平面に展張支持することができる限りにおいて実施可能である。また、フレーム部材として、縦支柱と横支柱とを用いずに、Ｘ字状とした棒状の支柱や、幕体の側辺に沿った枠体としても、幕体２を平面に展張支持することができる限りにおいて実施が可能である。
【００２０】
本実施の形態においては、縦支柱３及び横支柱４にアルミ製の円柱状の丸パイプ材を用いている。幕体２を安定して展張支持できる限りにおいて、丸棒材や角棒材も使用可能であり、その材質も強度を保てる限りにおいて、金属製の他、木製、グラスファイバー製等とすることもできる。
また、各支柱を伸縮自在、折り畳み自在、分割自在等にすることにより、幕体２から取り外して収納する際にコンパクトにすることが可能となる。
そして、縦支柱３の全長を、幕体２の縦方向の寸法より３０〜６０ｃｍ程度長くし、その長さ分を幕体２の下辺から露出させることによって、縦支柱３のみが接地することとなり、幕体２が接地面に接触することによる汚れを防止することができる他、日除け具１の下部の通風性が向上し、風による倒伏が少なくなるという利点もある。
【００２１】
本実施の形態においては、一般的な一間サイズの窓に適合するよう、幕体２のサイズを縦２００ｃｍ×横１８０ｃｍ程度としているが、日除けとしての機能を発揮する限りにおいて、使用する場所、窓等に合わせて任意のサイズとすることができる。
幕体２の素材としては、本実施の形態においては、強度、耐久性等を考慮して、ポリエステル製としているが、ナイロン、綿等、柔軟なシート状とすることができるもので、重量物を収納する強度を確保した上において、軽量かつ薄手なものとすることが望ましい。
【００２２】
次に、本実施の形態における日除け具の構造及び設置方法を、図１乃至図４を参照しつつ説明する。
【００２３】
幕体２には、縦支柱３及び横支柱４が挿通される筒状の挿通部が設けられる。本実施の形態においては、上下の横支柱４が挿通される幕体２の上辺と下辺とに左右方向に向かって、左右の縦支柱３が挿通される幕体２の左辺と右辺とに上下方向に向かって、そして中間３本の縦支柱３が挿通される幕体２の左右方向のおよそ中央、さらにその中央と左右辺とのおよそ中間のそれぞれの位置に上下方向に向かった挿通部となる。
そして、横支柱４が挿通される筒状の挿通部においては、縦支柱３と交差する箇所には挿通部は設けられず、当該箇所においては横支柱４は剥き出しの状態となる。
【００２４】
縦支柱３については、幕体２の５箇所に設けられた縦支柱３の挿通部の下端部から、それぞれ幕体２の上辺方向に挿通すると、挿通部の上端部は閉塞されているため、縦支柱３の上端は挿通部の上端部に留まることとなる。そして、図４に示すように、幕体２の裏面下辺部には、帯状体１０の一端部が縫付され、帯状体１０の他端部には三角環１１が取り付けられており、縦支柱３の幕体２の下辺部から露出する部分に設けられた突起に、三角環１１を掛止することによって、縦支柱３が幕体２から抜脱するのを防ぐ。
横支柱４については、幕体２の上辺部と下辺部とに挿通部が設けられており、幕体２の左右方向に挿通する。図示はしていないが、左右両端の挿通部は面ファスナーとなっており、横支柱４の両端部を面ファスナーの雄面と雌面とで狭着することにより、横支柱４が幕体２から抜脱するのを防ぐ。
以上のように、縦支柱３と横支柱４とを幕体２に挿通させることによって、幕体２が展張支持されることとなる。
【００２５】
本実施の形態の日除け具の設置方法は、図１に示すように、窓上部の外壁、ベランダの庇等に、幕体２の上辺部を当接させ、外壁等に立て掛けて使用する。なお、本日除け具の設置場所は建物に限るものではなく、立て掛けられる限りにおいて、藤棚、タープテント、駐車屋根等にも使用が可能である。
【００２６】
次に、本実施の形態の日除け具に備わる収納ポケットについて説明する。
本実施の形態においては、幕体２の裏側下部、それぞれの縦支柱３の間に４つの収納ポケット５が備わっている。収納ポケット５の位置、数、大きさ等は任意であるが、本実施の形態においては、後述するように、その用途のために、幕体２の裏側下部に縦１４ｃｍ×横３２ｃｍ程度の収納ポケット５を４つ備えている。
収納ポケット５の素材としては、所定の強度を備える限りにおいて、幕体２と同一素材を用いることができ、幕体２下部を折り返して縫着することによって、容易に形設することが可能である。
【００２７】
本収納ポケット５は、当該収納ポケット内に軽重量物を収めることにより、当該収納物が重しとしての役割を果たし、日除け具を安定設置させる用途としての機能を果たすものとなる。ここでいう軽重量物とは、５００ｇから２ｋｇ程度の物を想定しているが、身近なものとして、５００ｍリットルから２リットル程度のペットボトルに水を入れることで利用が可能となるが、ペットボトルに限られるものではなく、収納ポケット５に収納可能であって、前記重量程度の物であれば利用できる。
なお、本実施の形態においては、収納ポケット５が４つとなっているが、日除け具を安定設置させる機能の面から、それぞれの収納ポケット５には、均等な重量の物を収納するのが望ましい。
【００２８】
本収納ポケット５を幕体２の下部に備えることによって、軽重量物を収納した際、日除け具の重心が下がり、より安定設置させることができる。
また、本収納ポケット５は、開口部を常に開放状態とし、線ファスナー、面ファスナー等による閉塞手段を設けてはいない。しかし、日除け具の設置時には、本収納ポケット５の開口部が収納物よりも下方に位置することはないため、収納物がこぼれ落ちる心配はない。もちろん、閉塞手段を設けてもよい。
そして、本収納ポケット５を幕体２の裏側に備えることによって、幕体２の表面によって収納物が隠れるため、美観を損なうことがなく、また、風に舞ったゴミ等が開口部から入り難くなるという利点がある。
【００２９】
次に、本実施の形態における幕体２が、表面生地と裏面生地との二層構造である点について、図５を参照しつつ説明する。幕体２を単層構造として、単なる一枚物の生地とすることもできるが、以下の観点から、二層構造としている。
【００３０】
日差しを防ぐという機能の面からいえば、日差しを遮るための幕体は、遮光性の高い織目の密な生地を使用するのが好ましいが、そのような生地は通風性がない、又は低いため、風の強い日や、室内に風を取り入れたい場合などには使い難いものとなる。そのような場合においては、遮光性能が多少落ちても、メッシュ生地のように通風性のある幕体を用いた日除け具を使用した方が好ましい。
しかし、状況に応じて、複数種の日除け具を用意するのは、費用的な負担がかかり、収納場所の確保という観点からも好ましくはない。そこで、本実施の形態における幕体２を二層構造として、両者の長所を兼ね備えた一の日除け具とするものである。
【００３１】
本実施の形態における幕体２は、遮光性の高い織目の密な生地である表面生地６と、通風性のあるメッシュ生地である裏面生地７との二層からなる。表面生地６の略両側辺部に備わっている線ファスナー９により、表面生地６の一部面は開閉自在となっている。スライダーが最下部に位置しているときには線ファスナー９は咬合状態となり、表面生地６の一部面は閉じた状態となって、表面生地６全体が縦支柱３及び横支柱４とで展張支持されており、表面生地６全体が日差しを遮る幕体として機能する。
スライダーを上方に移動することによって線ファスナー９が開かれ、線ファスナー９を側辺とする表面生地６の一部面が開放され、当該面に対応する裏面生地７の一部面が表に露出することとなる。そのため、表に露出した裏面生地７の一部面と、開放されていない表面生地６の残りの面とが日差しを遮る幕体として機能することとなる。
ここで、開放される表面生地の面の割合は任意であり、表面生地のすべての面が開放されて、取り外せるようにすることも可能である。開放される表面生地の面の割合を大きくするほど、表に露出するメッシュ生地である裏面生地の割合が増えることとなり、より通風性の高い日除け具とすることができる。
【００３２】
図５に示すように、開放された表面生地の一部面については、巻き上げて、幕体２の上部に拘持している。特に図示はしていないが、拘持手段として、面ファスナー、帯状部材に尾錠・バックル等を装着しての係着、紐状部材による結束等の手段を用いることができる。
また、表面生地のすべての面が開放され、取り外しできるようにする際には、表面生地と裏面生地とを、スナップボタン、面ファスナー等の手段で着脱自在とすることが可能である。
【符号の説明】
【００３３】
１              日除け具
２              幕体
３              縦支柱
４              横支柱
５              収納ポケット
６              幕体表面生地
７              幕体裏面生地
８              収納物
９              線ファスナー
１０            帯状体
１１            三角環
【図１】
0003190806.tif 000003
【図２】
0003190806.tif 000004
【図３】
0003190806.tif 000005
【図４】
0003190806.tif 000006
【図５】
0003190806.tif 000007